(57)【特許請求の範囲】
【請求項１】
少なくとも撮像画像情報を得る撮像部と、記録状態において前記撮像部が出力する情報を記録し、待機状態において次の記録に備える記録部とを備え、
ユーザーの皮膚に直接接触する人体装着部と、前記人体装着部に設けられた温度を検出する感熱センサーと、前記感熱センサーが検出する温度が一定温度以下になった時点からの時間を計測する計時部と、前記記録部の記録状態及び待機状態を監視するとともに、前記記録部が記録状態になってから前記計時部の計時値が一定時間以上経過した際、前記記録部を記録状態から待機状態に移行させる状態監視部とを備えることを特徴とする撮像装置。
【発明の詳細な説明】
【０００１】
【産業上の利用分野】
本発明は、撮像部と記録部を具備する撮像装置に関するものである。
【０００２】
【従来の技術】
従来の携帯用撮像装置においては、記録の開始及び停止を、ボタン操作によってのみ制御するようになっている。
【０００３】
【発明が解決しようとする課題】
しかしながら、このような構成では、操作ミスによって不要な撮像映像及び音声が記録されてしまうどころか、記録したい場面を記録できないことがあるという問題点があった。
【０００４】
そこで本発明は、操作ミスによる記録の不備を抑制できる撮像装置を提供することを目的とする。
【０００５】
【課題を解決するための手段】
本発明の撮像装置は、少なくとも撮像画像情報を得る撮像部と、記録状態において撮像部が出力する情報を記録し、待機状態において次の記録に備える記録部とを備え、ユーザーの皮膚に直接接触する人体装着部と、人体装着部に設けられた温度を検出する感熱センサーと、感熱センサーが検出する温度が一定温度以下になった時点からの時間を計測する計時部と、記録部の記録状態及び待機状態を監視するとともに、記録部が記録状態になってから計時部の計時値が一定時間以上経過した際、記録部を記録状態から待機状態に移行させる状態監視部とを備える。
【０００６】
【作用】
上記構成により、記録部が記録を行う記録状態にあるとき、感熱センサーが一定温度以上になったことを認識すると、記録部はユーザのボタン操作を経なくとも、待機状態に遷移し、無駄な記録を防止することができる。また、ユーザが記録を再開したいときには、感熱センサーが検出する温度が一定温度以上となれば、記録部は記録状態へ遷移し、チャンスを逃さず必要な記録を行うことができる。
【０００７】
【実施例】
次に図面を参照しながら、本発明の実施例を説明する。
【０００８】
（第１実施例）
図１は、本発明の第１実施例における撮像装置の機能ブロック図である。図１に示すように、第１実施例における撮像装置１は、撮像部２と、記録状態において磁気テープなどの記録媒体に撮像部２が出力する画像情報などを記録し、待機状態において次の記録に備える記録部４と、撮像部２の現在の撮像方向を常時計測するジャイロセンサー６と、記録状態にある時に撮像装置１の撮像方向が鉛直下向きになった時点からの時間を計時値として計測する計時部８と、記録部４が記録状態または待機状態のいずれの状態にあるかを監視する状態監視部７と、ジャイロセンサー６と計時部８と状態監視部７の各演算結果から総合的に判断し記録部４を制御する記録制御部３と、全体を制御するＣＰＵ５とを備える。
【０００９】
次に第１実施例における撮像装置の動作について説明する。まず、ユーザが、撮像装置１の撮像部２を、撮像対象物に向け、記録部４で記録する。この時、記録部４は、状態監視部７に対し、「記録部４は記録状態である」と知らせる。
【００１０】
ここで状態監視部７が、記録部４は記録状態にあると認識している時、撮像部２が鉛直下向きになったことを、ジャイロセンサー６が感知すると、ジャイロセンサー６は「撮像部２は鉛直下向きである」と状態監視部７へ知らせる。
【００１１】
すると状態監視部７は、計時部８に対し「時間測定命令」を出す。それを受けて、計時部８は時間を計測し始める。また状態監視部７は、この時間測定命令を出した後も、記録部４の状態とジャイロセンサー６の状態を監視する。
【００１２】
そして、計時部８の計測値が、一定時間（α秒）以上になると、計時部８は、自己の計測値を０クリアすると共に、「α秒経過した」ことを状態監視部７に知らせる。
【００１３】
ここで、計時部８の計測値がα秒に達する前に、状態監視部７が、「記録部４が記録状態から待機状態に移行した。」または「ジャイロセンサー６が撮像部２の撮像方向が鉛直下向き以外の方向になった。」ことを認識すると、状態監視部７は計時部８に対し「時間計測停止命令」を出す。
【００１４】
「時間計測停止命令」を受けた計時部８は、直ちに時間計測処理を停止し計時値を０クリアする。
【００１５】
状態監視部７が、「記録部４が記録状態から待機状態に移行した。」または「ジャイロセンサー６が撮像部２の撮像方向が鉛直下向き以外の方向になった。」ことを認識しないまま、計時部８からα秒経過を知らされた時、状態監視部７は記録部４に対し「記録待機命令」を出す。
【００１６】
「記録待機命令」を受けた記録部４は、通常のボタン操作がなくとも、直ちに記録状態から待機状態に移行し、状態監視部７に対し「記録部４は待機状態である」ということを知らせる。この知らせを受けた状態監視部７は、記録部４が待機状態であるということを認識する。そして、以上のプロセスを繰り返すものである。
【００１７】
ここで、ユーザが、記録を一旦始めたものの記録を取りやめたいと考えて、撮像装置１の撮像部２を一定時間（α秒）以上、下に向けた場合、ユーザがボタン操作を行わなくとも、記録部４は待機状態に遷移して、無駄な記録を回避することができる。
【００１８】
また、ユーザが、撮像部２を一旦した向きにしたものの、新たに記録したいシーンに遭遇したときは、撮像部２をそのシーンへ向けるものであるが、このときはジャイロセンサー６が鉛直下向き以外の方向になったことを検出することにより、一旦待機状態になっている記録部４が再度記録状態へ移行し、ユーザが撮像したいシーンを記録することができる。ここで、これらの記録の再開は、ボタン操作をしなくとも行うことができ、ユーザはチャンスを逃さず、ほしい画像等を得ることができる。
【００１９】
（第２実施例）
図２は、本発明の第２実施例における撮像装置の機能ブロック図である。第２実施例では、第１実施例に対し、ジャイロセンサー６に代えて、ユーザの皮膚に直接接触する人体装着部９を設けている点が異なり、人体装着部９には、温度を測定する感熱センサー１０が備えられている。
【００２０】
また計時部８は、記録状態にある時に感熱センサー１０が一定温度（β°Ｃ）以下になった時点からの時間を計時値として計測する。
【００２１】
次に第２実施例における撮像装置の動作について説明する。まず、ユーザが、撮像装置１の撮像部２を、撮像対象物に向け、記録部４で記録する。この時、記録部４は、状態監視部７に対し、「記録部４は記録状態である」と知らせる。
【００２２】
ここで状態監視部７が、記録部４は記録状態にあると認識している時、感熱センサー１０が検出する温度が一定温度（β°Ｃ）より低い場合、状態監視部７は「ユーザは撮像装置１を使用していない」と解釈する。
【００２３】
すると状態監視部７は、計時部８に対し「時間測定命令」を出す。それを受けて、計時部８は時間を計測し始める。また状態監視部７は、この時間測定命令を出した後も、記録部４の状態と感熱センサー１０が検出する温度を監視する。
【００２４】
そして、計時部８の計測値が、一定時間（α秒）以上になると、計時部８は、自己の計測値を０クリアすると共に、「α秒経過した」ことを状態監視部７に知らせる。
【００２５】
ここで、計時部８の計測値がα秒に達する前に、状態監視部７が、「記録部４が記録状態から待機状態に移行した。」または「感熱センサー１０が検出した温度が一定温度（β°Ｃ）以上になった。」ことを認識すると、状態監視部７は計時部８に対し「時間計測停止命令」を出す。「時間計測停止命令」を受けた計時部８は、直ちに時間計測処理を停止し計時値を０クリアする。
【００２６】
状態監視部７が、「記録部４が記録状態から待機状態に移行した。」または「感熱センサー１０が検出した温度が一定温度（β°Ｃ）以上になった。」ことを認識しないまま、計時部８からα秒経過を知らされた時、状態監視部７は記録部４に対し「記録待機命令」を出す。
【００２７】
「記録待機命令」を受けた記録部４は、通常のボタン操作がなくとも、直ちに記録状態から待機状態に移行し、状態監視部７に対し「記録部４は待機状態である」ということを知らせる。この知らせを受けた状態監視部７は、記録部４が待機状態であるということを認識する。そして、以上のプロセスを繰り返すものである。
【００２８】
ここで、ユーザが、記録を一旦始めたものの記録を取りやめたいと考えて、撮像装置１から手を離すと、感熱センサー１０が検出する温度が一定温度以下となり、ユーザがボタン操作を行わなくとも、記録部４は待機状態に遷移して、無駄な記録を回避することができる。
【００２９】
また、ユーザが、撮像部２を撮像装置１を手放したものの、新たに記録したいシーンに遭遇したときは、撮像装置１を手にとって撮像部２をそのシーンへ向けるものであるが、このときは感熱センサー１０が検出する温度が一定温度以上になり、一旦待機状態になっている記録部４が再度記録状態へ移行し、ユーザが撮像したいシーンを記録することができる。ここで、これらの記録の再開は、ボタン操作をしなくとも行うことができ、ユーザはチャンスを逃さず、ほしい画像等を得ることができる。
【００３０】
（第３実施例）
図３は、本発明の第３実施例における撮像装置の機能ブロック図である。第３実施例においては、第１実施例に対し、ジャイロセンサー６に代えて、ファインダー部１１に圧力センサー１２を設けたものである。そして、圧力センサー１２が検出する圧力が、一定圧力以上であるとき記録状態とし、一定圧力以下であるとき待機状態とするものである。これは、第１実施例において、ジャイロセンサー６が鉛直下方を示していないときに記録状態とし、鉛直下方を示しているときに待機状態とすることを、置き換えて構成したものである。なお、その動作は、第１、第２の実施例と同様であるので、詳細な説明は省略する。
【００３１】
勿論、第１実施例におけるジャイロセンサー６、第２実施例における感熱センサー１０及び第３実施例における圧力センサー１２を、適宜組み合わせて、撮像装置を構成しても、本発明の撮像装置に包含されることは言うまでもない。
【００３２】
【発明の効果】
本発明の撮像装置は、少なくとも撮像画像情報を得る撮像部と、記録状態において前記撮像部が出力する情報を記録し、待機状態において次の記録に備える記録部とを備え、ユーザーの皮膚に直接接触する人体装着部と、前記人体装着部に設けられた温度を検出する感熱センサーと、前記感熱センサーが検出する温度が一定温度以下になった時点からの時間を計測する計時部と、前記記録部の記録状態及び待機状態を監視するとともに、前記記録部が記録状態になってから前記計時部の計時値が一定時間以上経過した際、前記記録部を記録状態から待機状態に移行させる状態監視部とを備えるので、ユーザが撮像装置を用いて映像及び音声を記録中に不用意に起こる「目的外撮像映像及び音声のテープ等の記録メディアへの記録」を未然に防止できる。よって、撮像中の記録メディア編集をしなくても良くなることは勿論のこと、記録メディアの最大容量を有効に使用することが可能である。
【図面の簡単な説明】
【図１】本発明の第１実施例における撮像装置の機能ブロック図
【図２】本発明の第２実施例における撮像装置の機能ブロック図
【図３】本発明の第３実施例における撮像装置の機能ブロック図
【符号の説明】
１  撮像装置
２  撮像部
３  記録制御部
４  記録部
５  ＣＰＵ
６  ジャイロセンサー
７  状態監視部
８  計時部
９  人体装着部
１０  感熱センサー
１１  ファインダー部
１２  圧力センサー
【図１】
0003596105.tif 000002
【図２】
0003596105.tif 000003
【図３】
0003596105.tif 000004